(57)【特許請求の範囲】
【請求項１】
産後の婦人の腹部に装着され、それによって婦人の体型を整えるために用いる、整体用コルセットを着脱可能に取り付けた、スカートであって、
前記整体用コルセットは、婦人の腹部に巻き付けられるベルト状のコルセット本体を備え、
前記コルセット本体の長手方向の一方端には、前記長手方向に延びる比較的細幅の上側結合片および下側結合片が設けられ、
前記コルセット本体の長手方向の他方端には、面ファスナを介して、前記上側結合片および下側結合片を、それぞれ、位置調整可能に結合させ得る結合領域が形成され、
前記下側結合片は、前記上側結合片より長く、かつ婦人の胴回りの１／３〜１／２の長さを有し、
装着状態において、前記上側結合片は、婦人の比較的上腹部に位置され、前記下側結合片は、婦人の比較的下腹部を下から持ち上げるように位置される、スカート。
【請求項２】
前記下側結合片は、下方へ膨らむ湾曲形状を有する、請求項１に記載のスカート。
【請求項３】
前記コルセット本体の前記一方端には、前記上側結合片および前記下側結合片を覆うためのカバー片が設けられ、装着状態において、前記カバー片は、前記上側結合片および前記下側結合片を覆い、かつ、前記カバー片の自由端部は、面ファスナを介して、前記結合領域に結合される、請求項１または２に記載のスカート。
【請求項４】
前記コルセット本体は、婦人の両脇に当たる各部位において、伸縮性の高い材質から構成される、請求項１ないし３のいずれかに記載のスカート。
【請求項５】
前記整体用コルセットは、前記スカートに対して、オープン式のスライドファスナによって結合されている、請求項１ないし４のいずれかに記載のスカート。
【発明の詳細な説明】
【０００１】
【発明の属する技術分野】
この発明は、産後の婦人の腹部に装着され、それによって婦人の体型を整えるために用いる整体用コルセットを取り付けた、スカートに関するものである。
【０００２】
【従来の技術】
妊婦が出産を終えた後、その体型はすぐには元の状態に戻らない。そこで、体型を整えるため、ガードルや巻き付け型のウエストニッパ等が用いられることがある。
【０００３】
【発明が解決しようとする課題】
しかしながら、上述したような従来のガードルやウエストニッパは、産後の整体を目的とするにあたっては、その効果が十分ではない。
【０００４】
また、産後の体調不良や育児疲れなどが原因で、ガードルやウエストニッパを着用することを面倒に感じたり、着用することを忘れたりし、その結果、着用しなくなってしまうことも多い。
【０００５】
そこで、この発明の目的は、上述したような問題を解決し得る、産後の整体用コルセットを取り付けたスカートを提供しようとすることである。
【０００６】
【課題を解決するための手段】
この発明は、産後の婦人の腹部に装着され、それによって婦人の体型を整えるために用いる、整体用コルセットを取り付けたスカートに向けられるものであって、上述した技術的課題を解決するため、次のような構成を備えることを特徴としている。
【０００７】
すなわち、この発明に係るスカートは、整体用コルセットを着脱可能に取り付けており、整体用コルセットは、婦人の腹部に巻き付けられるベルト状のコルセット本体を備えている。このコルセット本体の長手方向の一方端には、この長手方向に延びる比較的細幅の上側結合片および下側結合片が設けられ、コルセット本体の長手方向の他方端には、面ファスナを介して、上側結合片および下側結合片を、それぞれ、位置調整可能に結合させ得る結合領域が形成される。また、下側結合片は、上側結合片より長く、かつ婦人の胴回りの１／３〜１／２の長さを有するようにされる。
【０００８】
このような整体用コルセットを婦人の腹部に装着したとき、上側結合片は、婦人の比較的上腹部に位置され、下側結合片は、婦人の比較的下腹部を下から持ち上げるように位置される。
【０００９】
この発明に係るスカートに取り付けられる整体用コルセットにおいて、下側結合片は、下方へ膨らむ湾曲形状を有していることが好ましい。
【００１０】
また、コルセット本体の上述した一方端には、上側結合片および下側結合片を覆うためのカバー片が設けられることが好ましい。このカバー片は、装着状態において、上側結合片および下側結合片を覆い、かつ、カバー片の自由端部は、面ファスナを介して、前述した結合領域に結合される。
【００１１】
また、コルセット本体は、婦人の両脇にあたる各部位において、伸縮性の高い材質から構成されることが好ましい。
【００１３】
この発明に係るスカートにおいて、整体用コルセットは、スカートに対して、オープン式のスライドファスナによって結合されることによって、着脱可能に取り付けられることが好ましい。
【００１４】
【発明の実施の形態】
図１は、この発明の一実施形態によるスカートに取り付けられる整体用コルセット１を単独で示す展開図である。図２は、図１に示した整体用コルセット１をスカート２に取り付けた状態を示している。図３は、スカート２に取り付けられた整体用コルセット１を、産後の婦人３の腹部に装着する途中の状態を示している。
【００１５】
整体用コルセット１は、図３に示すように、産後の婦人３の腹部に装着され、それによって、婦人３の体型を整えるために用いるものである。
【００１６】
整体用コルセット１は、婦人３の腹部に巻き付けられるベルト状のコルセット本体４を備えている。図１によく示されているように、コルセット本体４の長手方向の一方端には、この長手方向に延びる比較的細幅の上側結合片５および下側結合片６が設けられている。
【００１７】
下側結合片６の長さＬは、上側結合片５より長くされる。また、この下側結合片６の長さＬは、婦人３の胴回りの１／３〜１／２の長さに設定される。また、下側結合片６は、図１によく示されているように、下方へ膨らむ湾曲形状を有している。
【００１８】
上側結合片５には、面ファスナ７が取り付けられ、下側結合片６には、面ファスナ８が取り付けられる。
【００１９】
他方、コルセット本体４の長手方向の他方端には、図２によく示されているように、上側結合片５および下側結合片６を、それぞれ、位置調整可能に結合させ得る結合領域９が形成されている。
【００２０】
より具体的には、結合領域９は、全体として、起毛された布地から構成される。したがって、前述した面ファスナ７および８は、これらを結合領域９内の任意の位置に結合させることができる。しかしながら、この実施形態では、前述した面ファスナ７および８の各々との間でより強い結合状態を得ることを可能にするため、結合領域９における、面ファスナ７および８がそれぞれ結合し得る限定された区域に、面ファスナ７および８とそれぞれ対をなす面ファスナ１０および１１が取り付けられている。
【００２１】
面ファスナ１０および１１は、それぞれ、長手形状を有していて、面ファスナ７および８との結合位置を長手方向に変えることができ、それによって、婦人３の胴回りの大小に応じて、コルセット本体４の有効長さを調整できるようにされている。
【００２２】
面ファスナ８に対応する面ファスナ１１は、コルセット本体４の長手方向に対して傾斜する状態で取り付けられている。これは、下側結合片６の前述したような下方へ膨らむ湾曲形状に適合させるためのものである。
【００２３】
また、コルセット本体４の一方端には、上側結合片５および下側結合片６を覆うためのカバー片１２が設けられている。カバー片１２の自由端部には、面ファスナ１３が取り付けられている。カバー片１２は、装着状態において、図示しないが、上側結合片５および下側結合片６を覆う状態とされる。このとき、カバー片１２の自由端部に位置する面ファスナ１３は、結合領域９内の任意の位置に結合される。
【００２４】
また、コルセット本体４は、伸縮部１４および１５を備えている。これら伸縮部１４および１５は、婦人３の両脇に当たる各部位に対応するもので、伸縮性の高い材質から構成される。
【００２５】
このような構成を有する整体用コルセット１は、図２によく示されているように、スカート２に取り付けられる。整体用コルセット１は、スカート２を着用したとき、適正な装着位置にもたらされるようにスカート２に対して位置合わせされる。
【００２６】
スカート２は、この実施形態では、巻きスカートをもって構成される。このスカート２の上縁部１６には、ボタン１７および１８、ならびにこれらボタン１７および１８にそれぞれ対応するボタン穴１９および２０が設けられる。ボタン１７は、スカート２の内側に位置され、ボタン１８は、スカート２の外側に位置される。
【００２７】
この実施形態では、整体用コルセット１は、スカート２に対して着脱可能に取り付けられる。そのため、整体用コルセット１は、スカート２に対して、オープン式のスライドファスナ２１、２２および２３によって結合される。
【００２８】
より詳細には、スライドファスナ２１は、コルセット本体４の、結合領域９を除く上端縁をスカート２に取り付けるように機能している。また、スライドファスナ２２は、コルセット本体４の、結合領域９と他の領域との境界部分をスカート２に取り付けるように機能している。また、スライドファスナ２３は、カバー片１２の自由端縁をスカート２に取り付けるように機能している。
【００２９】
上述のように、着脱可能な取り付けのために、スライドファスナ２１、２２および２３が用いられると、この着脱可能な結合手段による嵩張りが実質的にもたらされることなく、また、特定の線に沿ってのみの結合状態とすることができるので、整体用コルセット１とスカート２とを違和感なく一体化することができる。
【００３０】
このように、整体用コルセット１が取り付けられたスカート２の着用方法について説明する。
【００３１】
まず、図３に示すように、整体用コルセット１のコルセット本体４が、婦人３の腹部に巻き付けられる。
【００３２】
このとき、上側結合片５は、婦人３の比較的上腹部を通るように位置され、面ファスナ７が面ファスナ１０に結合される。これによって、婦人３の比較的上腹部が締め付けられる。
【００３３】
また、下側結合片６は、婦人３の比較的下腹部を通るように位置され、面ファスナ８が面ファスナ１１に結合される。このとき、下側結合片６は、婦人３の下腹部を下から持ち上げるように作用しながら、この下腹部を締め付ける。前述したように、下側結合片６の長さＬが婦人３の胴回りの１／３〜１／２というように比較的長くされているので、婦人３の下腹部を下から持ち上げるように、下側結合片６を位置させることが容易である。また、下側結合片６が下方へ膨らむ湾曲形状を有していることも、上述のように、婦人３の下腹部を下から持ち上げるように位置させることを容易にする。
【００３４】
上述したように、上側結合片５に取り付けられた面ファスナ７を結合領域９における面ファスナ１０に結合させ、かつ、下側結合片６に取り付けられた面ファスナ８を結合領域９における面ファスナ１０に結合させたとき、コルセット本体４は、全体として、婦人３の腹部を締め付ける状態となる。
【００３５】
上述した下側結合片６による下腹部を下から持ち上げる作用は、また、腰骨を固めるように働く。その結果、婦人３の腰骨から背骨に至る負荷を軽減するとともに、産後の腰骨のずれを補正するように作用する。
【００３６】
また、この状態において、伸縮部１４および１５は、婦人３の両脇に密に密着し、これら両脇を締め付けるように作用する。
【００３７】
次いで、カバー片１２が、上側結合片５および下側結合片６を覆うように結合領域９上に重ねられ、その自由端部に取り付けられた面ファスナ１３が結合領域９に結合される。
【００３８】
上述のカバー片１２は、整体用コルセット１の外面側における上側結合片５および下側結合片６による段差が生じることを防止し、したがって、この段差によってスカート２との間での違和感およびスカート２の外面での段差がもたらされることを防止できる。また、カバー片１２の自由端部が結合領域９に結合されたとき、コルセット本体４による婦人３の腹部への締め付け効果を高めることができる。
【００３９】
その後、スカート２に設けられたボタン１７および１８を、それぞれ、ボタン穴１９および２０にはめ込むことによって、スカート２の着用および整体用コルセット１の装着のための操作が完了する。
【００４０】
このように、整体用コルセット１をスカート２に取り付けておけば、スカート２を着用したとき、整体用コルセット１による整体効果を婦人３の腹部に対して及ぼすことが可能となり、整体用コルセット１の装着を、面倒と思ったり、忘れたりすることを防止することができる。
【００４１】
また、整体用コルセット１は、スカート２に対して着脱可能に取り付けられているので、整体用コルセット１を他のスカート等の衣服と組み合わせたり、あるいは、整体用コルセット１を取り付けない状態でスカート２を着用したりすることができる。
【００４２】
【発明の効果】
以上のように、この発明に係るスカートに取り付けられた、産後の整体用コルセットによれば、婦人の腹部に巻き付けられるベルト状のコルセット本体の長手方向の一方端には、この長手方向に延びる比較的細幅の上側結合片および下側結合片が設けられ、コルセット本体の長手方向の他方端には、面ファスナを介して上側結合片および下側結合片を、それぞれ、位置調整可能に結合させ得る結合領域が形成され、下側結合片は、上側結合片より長く、かつ婦人の胴回りの１／３〜１／２の長さを有しているので、この整体用コルセットの装着状態において、上側結合片を婦人の比較的上腹部に位置させながら、下側結合片を、婦人の比較的下腹部を下から持ち上げるように位置させることが容易になる。
【００４３】
したがって、婦人の比較的上腹部を締め付けながら、比較的下腹部を下から持ち上げるように締め付ける、といった適正な整体作用を確実に働かせることが可能になる。また、下側結合片による、婦人の比較的下腹部を下から持ち上げる作用は、腰骨を固めるように働き、その結果、腰骨から背骨にかけての負荷を軽減し、また、産後の腰骨のずれを補正することができる。
【００４４】
この発明に係るスカートに取り付けられる整体用コルセットにおいて、下側結合片が下方へ膨らむ湾曲形状を有していると、上述したように、下側結合片を、婦人の比較的下腹部を下から持ち上げるように位置させることがより容易になる。
【００４５】
また、コルセット本体の一方端に、上側結合片および下側結合片を覆うためのカバー片が設けられ、装着状態において、カバー片が、上側結合片および下側結合片を覆い、かつ、カバー片の自由端部が、面ファスナを介して、結合領域に結合されるように構成されると、整体用コルセットの外面側における上側結合片および下側結合片による段差が生じることを防止でき、したがって、この段差によってスカート等の外着との間での違和感および外着の外面での段差がもたらされることを防止できる。また、カバー片の自由端部は、結合領域に結合されるので、コルセット本体による婦人の腹部への締め付け効果を高めることができる。
【００４６】
また、この発明に係るスカートに取り付けられる整体用コルセットにおいて、コルセット本体が、婦人の両脇にあたる各部位において、伸縮性の高い材質から構成されていると、コルセット本体を婦人の両脇に密着させることができ、このような両脇においても締め付け効果を及ぼすことができる。
【００４７】
この発明に係るスカートによれば、上述したような整体用コルセットを取り付けているので、スカートを着用するとき、同時に、整体用コルセットを装着状態にすることができ、そのため、整体用コルセットの装着を面倒に思ったり、忘れたりすることを防止することができる。また、このように、スカートを着用したとき、整体用コルセットが与える上述したような効果を、そのまま、及ぼし得る状態とすることができる。
【００４８】
また、この発明に係るスカートによれば、整体用コルセットが、スカートに対して着脱可能に取り付けられているので、スカートと整体用コルセットとを互いに独立して取り扱うことが可能となり、整体用コルセットを他のスカート等の外着と組み合わせて使用したり、あるいは、スカートを、整体用コルセットを取り付けない状態で着用したりすることが可能になる。
【００４９】
上述した着脱可能な取り付けに関して、整体用コルセットが、スカートに対してオープン式のスライドファスナによって結合されていると、この着脱可能な結合手段による嵩張りが実質的にもたらされることなく、また、特定の線に沿ってのみの結合状態とすることができるので、整体用コルセットとスカートとを違和感なく一体化することができる。
【図面の簡単な説明】
【図１】この発明の一実施形態によるスカートに取り付けられる整体用コルセット１を単独で示す展開図である。
【図２】図１に示した整体用コルセット１をスカート２に取り付けた状態を示す図である。
【図３】図２に示した整体用コルセット１を取り付けたスカート２を着用する途中の状態を示す図である。
【符号の説明】
１  整体用コルセット
２  スカート
３  婦人
４  コルセット本体
５  上側結合片
６  下側結合片
７，８，１０，１１，１３  面ファスナ
９  結合領域
１２  カバー片
１４，１５  伸縮部
２１〜２３  スライドファスナ
Ｌ  下側結合片の長さ
【図１】
0003609691.tif 000002
【図２】
0003609691.tif 000003
【図３】
0003609691.tif 000004